(57)【要約】本発明の目的は、従来の方法よりも輸送コストがかからず、且つ生産性を大幅に向上させる油性印刷用体質顔料分散体の製造方法、該製造方法で得られる油性印刷用体質顔料分散体、及びその用途を提供することである。本発明は、水および油性印刷インキ用ワニスを含む混合分散媒体中に、体質顔料を分散する工程を含む油性印刷用体質顔料分散体の製造方法であって、混合分散媒体中に含まれる上記水の量を、体質顔料の総量の１〜４０質量％とすることを特徴とする油性印刷用体質顔料分散体の製造方法に関するものである。【特許請求の範囲】
【請求項１】
水および油性印刷インキ用ワニスを含む混合分散媒体中に、体質顔料を分散する工程を含む油性印刷用体質顔料分散体の製造方法であって、混合分散媒体中に含まれる上記水の量を、体質顔料の総量の１〜４０質量％とすることを特徴とする油性印刷用体質顔料分散体の製造方法。
【請求項２】
前記体質顔料は、表面処理されたものである請求項１記載の油性印刷用体質顔料分散体の製造方法。
【請求項３】
前記体質顔料を分散する工程の後に、さらに水を除去する工程を含む請求項１又は２に記載の油性印刷用体質顔料分散体の製造方法。
【請求項４】
前記体質顔料を分散する工程の後、さらにロールミル又はビーズミルで体質顔料の粒子径がグラインドゲージで１０μｍ以下になるまで練肉する工程を含む請求項１〜３のいずれか１項に記載の油性印刷用体質顔料分散体の製造方法。
【請求項５】
請求項１〜４のいずれか１項に記載の油性印刷用体質顔料分散体の製造方法で得られることを特徴とする油性印刷用体質顔料分散体。
【請求項６】
請求項５に記載の油性印刷用体質顔料分散体を含有することを特徴とするオフセット印刷用インキ組成物。
【発明の詳細な説明】
【技術分野】
【０００１】
本発明は、オフセット印刷等で利用される油性印刷用インキ組成物の流動性や水幅の調整のために用いる油性印刷用体質顔料分散体の製造方法、該製造方法で得られる油性印刷用体質顔料分散体、及びその用途に関する。
【背景技術】
【０００２】
オフセット印刷（新聞印刷も含む）等で利用される油性印刷用インキ組成物には、流動性や水幅の調整等を目的として体質顔料が加えられている場合が多い（例えば、非特許文献１参照）。【０００３】
体質顔料を油性印刷用インキ組成物に含有させる手段としては、下記（１）、（２）等の方法が実施されている。
（１）油性ワニスに対する濡れ性を向上させる表面処理が施された粉末状の体質顔料をロールミルなどで分散処理して油性印刷用体質顔料分散体を製造する。得られた該分散体を油性印刷用インキ組成物に加える。
（２）表面処理されていない体質顔料を水系で合成した後、水を５０〜８０％含むウェットケーキやプレスケーキの状態で、油性ワニスを加えて、攪拌することにより、体質顔料を油性ワニス中へ分散させる。その後、水を除去し、油性印刷用体質顔料分散体を得、それを油性印刷用インキ組成物に加えて分散させる。【０００４】
しかし、上記（１）の方法では、粉末状の体質顔料が乾燥などによって凝集している。ゆえに、油性印刷用インキ組成物中に分散させるには、大量のエネルギーと長時間の分散が必要となるという問題を有している。また、上記（２）の方法では、水を５０〜８０％含んでいる体質顔料のウェットケーキやプレスケーキを使用する。ゆえに、輸送コストが増大する上に、表面処理されたものと比較して分散性が低いなどの問題を有している。
【非特許文献１】日本印刷学会誌（２００２年第３９巻第１号）
【発明の開示】
【発明が解決しようとする課題】
【０００５】
そこで、本発明が解決しようとする課題は、従来の方法よりも輸送コストがかからず、且つ生産性を大幅に向上させる油性印刷用体質顔料分散体の製造方法、該製造方法で得られる油性印刷用体質顔料分散体、及びその用途を提供することである。
【課題を解決するための手段】
【０００６】
本発明者らは、上記の課題を解決するために鋭意検討した結果、油性印刷用体質顔料分散体の製造方法において、水および油性印刷インキ用ワニスを含む混合分散媒体を用いて水の含有量を特定範囲内にして体質顔料の分散処理を行うことにより、上記課題を全て解決し得ることを見出した。その結果、本発明を完成するに至った。
即ち、本発明の製造方法は、水と体質顔料との含有量比を特定範囲内にして上記混合分散媒体中に体質顔料を分散させたものであるので、以下の利点がある。
（Ｉ）水を使用せず体質顔料を分散させる方法より短時間で体質顔料を十分に分散させることができる。
（ＩＩ）体質顔料の含水ケーキやプレスケーキを分散させる方法に比べ、輸送コストを低減することができる。【０００７】
すなわち、本発明は、（１）水および油性印刷インキ用ワニスを含む混合分散媒体中に、体質顔料を分散する工程を含む油性印刷用体質顔料分散体の製造方法であって、混合分散媒体中に含まれる上記水の量を、体質顔料の総量の１〜４０質量％とすることを特徴とする油性印刷用体質顔料分散体の製造方法に関する。【０００８】
また、本発明は、（２）上記体質顔料は、表面処理されたものである上記（１）項に記載の油性印刷用体質顔料分散体の製造方法に関する。【０００９】
また、本発明は、（３）上記体質顔料を分散する工程の後に、さらに水を除去する工程を含む上記（１）項又は（２）項に記載の油性印刷用体質顔料分散体の製造方法に関する。【００１０】
また、本発明は、（４）上記体質顔料を分散する工程の後、さらにロールミル又はビーズミルで体質顔料の粒子径がグラインドゲージで１０μｍ以下になるまで練肉する工程を含む上記（１）項〜（３）項のいずれか１項に記載の油性印刷用体質顔料分散体の製造方法に関する。【００１１】
また、本発明は、（５）上記（１）項〜（４）項のいずれか１項に記載の油性印刷用体質顔料分散体の製造方法で得られることを特徴とする油性印刷用体質顔料分散体に関する。【００１２】
また、本発明は、（６）上記（５）項に記載の油性印刷用体質顔料分散体を含有することを特徴とするオフセット印刷用インキ組成物に関する。【００１３】
以下、本発明について更に詳細に説明する。【００１４】
本発明は、水および油性印刷インキ用ワニスを含む混合分散媒体中に体質顔料を分散する工程を含むことを特徴とする油性印刷用体質顔料分散体（以下、「体質顔料分散体」ともいう）の製造方法に関するものである。【００１５】
＜本発明の製造方法において使用する材料＞
（体質顔料）
まず、体質顔料としては、従来から油性印刷用インキ組成物に使用されている、少なくとも油性印刷インキ用ワニス中に分散が可能な粉末状の体質顔料であれば特に限定されない。このような体質顔料としては、水単独では湿潤されないものであってもよいし、水単独で容易に湿潤されるものであってもよい。【００１６】
通常、油性印刷インキ用ワニス中で分散が良好となるように、各種材料で表面処理された体質顔料が使用される。水単独では湿潤されない体質顔料としては、例えば、ハロゲン化シラン類、アルコキシシラン類、シラザン類、シロキサン類、長鎖脂肪酸塩類等で表面処理が施されている炭酸カルシウム、シリカ、硫酸バリウム、炭酸バリウム、カオリナイト、タルク、有機ベントナイト、酸化チタン、炭酸マグネシウム、表アルミナホワイト等を挙げることができる。水単独で容易に湿潤される体質顔料としては、樹脂酸（ロジン酸）類で表面処理が施されている炭酸カルシウム、第４級アンモニウム塩類で表面処理（表面被覆処理）が施されている有機ベントナイト等を挙げることができる。
これらは単独でも使用できるが、二種類以上を併用しても使用可能である。【００１７】
（混合分散媒体）
＜水＞
用いる水については、不純物を含まないものであれば特に限定されず、例えば水道水、イオン交換水、蒸留水等を用いることができる。上記水としては、印刷に悪影響を及ぼす水溶性イオン性物質の含有量が少ないという観点から、イオン交換水等を使用することが好ましい。【００１８】
＜油性印刷インキ用ワニス＞
次に、油性印刷インキ用ワニスについて説明する。
まず、油性印刷インキ用ワニスを構成する主要な材料としては、バインダー樹脂および油状液体を挙げることができる。【００１９】
ここで、バインダー樹脂としては、オフセット印刷用インキ組成物に使用されているものであれば特に限定されない。このようなバインダー樹脂として、ロジン変性フェノール樹脂、ロジン変性マレイン酸樹脂、石油樹脂変性フェノール樹脂、フェノールを含有しないポリエステル樹脂、アルキッド樹脂、石油樹脂等を使用することができる。【００２０】
油性印刷インキ用ワニス中の上記バインダー樹脂の使用量は、油性印刷インキ用ワニス１００質量％に対し通常２０〜６０質量％の範囲が適当である。【００２１】
また、上記油状液体としては、植物油成分、鉱物油成分等が使用できる。【００２２】
植物油成分としては、植物油及び植物油由来の脂肪酸エステル化合物が挙げられる。【００２３】
上記植物油としては、大豆油、綿実油、アマニ油、サフラワー油、桐油、トール油、脱水ヒマシ油、カノーラ油等のオフセット印刷に適した乾性油又は半乾性油が例示できる。これらは、単独で使用してもよく、また２種以上を併用することもできる。【００２４】
上記植物油由来の脂肪酸エステル化合物としては、上記の乾性油又は半乾性油由来の脂肪酸のモノアルキルエステル化合物が挙げられる。かかる脂肪酸モノアルキルエステルを構成する脂肪酸としては、炭素数１６〜２０の飽和又は不飽和脂肪酸が好ましく、ステアリン酸、イソステアリン酸、ヒドロキシステアリン酸、オレイン酸、リノール酸、リノレン酸、エレオステアリン酸等が例示できる。脂肪酸モノアルキルエステルを構成するアルコール由来のアルキル基は、炭素数が１〜１０のものが好ましい。そのようなアルキル基としては、メチル、エチル、プロピル、イソプロピル、ブチル、イソブチル、ｔｅｒｔ−ブチル、２−エチルヘキシル基等のアルキル基が例示できる。これらの脂肪酸物エステル化合物は、単独で使用してもよく、また２種以上を組み合わせて使用することもできる。【００２５】
鉱物油成分としては、水と相溶しない、沸点１８０℃以上、好ましくは２００℃以上のものを挙げることができる。具体的には、ｎ−パラフィン系溶剤、イソパラフィン系溶剤、ナフテン系溶剤、芳香族系溶剤、α−オレフィン系溶剤等の石油系溶剤、軽油、スピンドル油、マシン油、シリンダー油、テレピン油、ミネラルスプリット等、従来からオフセット印刷用インキ溶剤として使用されているものが例示できる。【００２６】
上記油性印刷インキ用ワニスにおいて、植物油成分と鉱物油成分は、植物油成分を単独で用いてもよく、鉱物油成分を単独で用いてもよく、植物油成分と鉱物油成分とを併用してもよい。【００２７】
尚、油性印刷インキ用ワニスには、必要に応じて、適量のゲル化剤（バインダー樹脂に対して１５質量％以下程度）を使用し、バインダー樹脂を架橋させることができる。このような場合に使用するゲル化剤としては、アルミニウムアルコラート類、アリミニウムキレート化合物等が挙げられる。好ましい具体例としては、アルミニウムトリイソプロポキシド、モノ−ｓｅｃ−ブトキシアルミニウムジイソプロポキシド、アルミニウムトリ−ｓｅｃ−ブチトキシド、エチルアセトアセテートアルミニウムジイソプロポキシド、アルミニウムトリスエチルアセトアセテート等が例示できる。油性印刷インキ用ワニスには、さらに必要に応じて、ドライヤー（乾燥剤）、乾燥遅延剤、酸化防止剤等の添加剤を適宜使用してもよい。【００２８】
本発明における油性印刷インキ用ワニスは、上記バインダー樹脂、および必要に応じて利用される他の材料を、上記油状液体に分散・溶解させることにより調製することができる。上記油性印刷インキ用ワニスの調製において、上記油状液体は、最終的なワニス（油性印刷インキ用ワニス）となったときに、体質顔料の分散に適した粘度を維持できる量で使用することができる。【００２９】
＜その他の材料＞
混合分散媒体の体質顔料に対する湿潤性を向上させるために、有機溶剤や界面活性剤を必要に応じて使用することができる。上記有機溶剤や界面活性剤としては、エタノール、１−プロパノール、２−プロパノール、１−ブタノール、２−ブタノール、２−メチル−１−プロパノール、２−メチル−２−プロパノール、２−メチル−２−ブタノール、２−メチル−１−ブタノール、３−メチル−１−ブタノール、３−メチル−２−ブタノール、２，２−ジメチル−１−プロパノール、１−ペンタノール、２−ペンタノール、３−ペンタノール、１−ヘキサノール、２−ヘキサノール、２，３−ジメチル−２−ブタノール、３，３−ジメチル−１−ブタノール、３，３−ジメチル−２−ブタノール、２−エチル−１−ブタノール、３−ヘキサノール、２−メチル−１−ペンタノール、２−メチル−２−ペンタノール、２−メチル−３−ペンタノール、３−メチル−１−ペンタノール、３−メチル−２−ペンタノール、３−メチル−３−ペンタノール、４−メチル−１−ペンタノール、４−メチル−２−ペンタノール、１−オクタノール、２−オクタノール、３−オクタノール、２−エチル−１−ヘキサノール、４−メチル−３−ヘプタノール、６−メチル−２−ヘプタノール、１−ノナノール、２−ノナノール、３，５，５−トリメチル−１−ヘキサノール、１−デカノール、２−デカノール、４−デカノール、３，７−ジメチル−１−オクタノール、３，７−ジメチル−３−オクタノール、１−ウンデカノール、２−ウンデカノール、２−ブチル−１−オクタノール、１−トリデカノール、１−テトラデカノール、２−テトラデカノール、１−ペンタデカノール、１−ヘキサデカノール、２−ヘキサデカノール、２−ヘキシル−１−デカノール、１−ヘプタデカノール、１−オクタデカノール等のアルコール類、２−メトキシエタノール、２−エトキシエタノール、エチレングリコールモノプロピルエーテル、エチレングリコールモノブチルエーテル、２−エチルヘキシルグリコール、メチルジグリコール、エチルジグリコール、ブチルジグリコール、ヘキシルジグリコール、２−エチルヘキシルジグリコール、トリエチレングリコールモノメチルエーテル、トリエチレングリコールモノエチルエーテル、オクチルフェノールエチレングリコール３モル付加物、ノニルフェノールエチレングリコール５モル付加物、ノニルフェノールエチレングリコール７．５モル付加物、ラウリルアルコールエチレングリコール９モル付加物、オレイルアルコールエチレングリコール１０モル付加物、ノニルフェノールエチレングリコール１８モル付加物等のアルコールエーテル類、グリコールのモノ又はジエーテル類、エチレングリコール、１，２−プロパンジオール、１，３−プロパンジオール、１，４−ブタンジオール、１，３−ブタンジオール、１，２−ブタンジオール、１，５−ペンタンジオール、１，４−ペンタンジオール、１，２−ペンタンジオール、２，４−ペンタンジオール、２−メチル−１，３−プロパンジオール、１，６−ヘキサンジオール、１，５−ヘキサンジオール、１，２−ヘキサンジオール、２，５−ヘキサンジオール、３，３−ジメチル−１，２−ブタンジオール、２−メチル−２，４−ペンタンジオール、１，７−ヘプタンジオール、２，２−ジメチル−１，３−プロパンジオール、２，４−ジメチル−２，４−プロパンジオール、２−メチル−プロピル−１，３−プロパンジオール、１，８−オクタンジオール、１，２−オクタンジオール、２，５−ジメチル−２，５−ヘキサンジオール、２−エチル−１，３−ヘキサンジオール、２，２，４−トリメチル−１，３−ペンタンジオール、１，９−ノナンジオール、２−ブチル２−エチル−１，３−プロパンジオール、１，１０−デカンジオール、１，２−デカンジオール、２，２−ジブチル−１，３−プロパンジオール、１，１２−ドデカンジオール、１，２−ドデカンジオール、グリセリン、１，２，４−ブタントリオール、３−メチル−１，３，５−ペンタントリオール等の多価アルコール類等が例示できる。【００３０】
特に湿し水を使用して印刷する場合において、水幅適性を良好として印刷時の汚れを抑制するという点から、沸点２００℃以上の有機溶剤や界面活性剤を用いることが好ましい。このような有機溶剤や界面活性剤として、例えば１−デカノール、２−デカノール、４−デカノール、３，７−ジメチル１−オクタノール、３，７−ジメチル−３−オクタノール、１−ウンデカノール、２−ウンデカノール、１−デカノール、２−デカノール、１−トリデカノール、１−テトラデカノール、２−テトラデカノール、１−ペンタデカノール、１−ヘキサデカノール、２−ヘキサデカノール、２−ヘキシル１−デカノール、エチルジグリコール、ブチルジグリコール、ヘキシルジグリコール、２−エチルヘキシルジグリコール、トリエリテングリコールモノメチルエーテル、トリエチレングリコールモノエチルエーテル、オクチルフェノールエチレングリコール３モル付加物、ノニルフェノールエチレングリコール５モル付加物、ノニルフェノールエチレングリコール７．５モル付加物、ラウリルアルコールエチレングリコール９モル付加物、オレイルアルコールエチレングリコール１モル付加物、ノニルフェノールエチレングリコール１８モル付加物、１，６−ヘキサンジオール、１，５−ヘキサンジオール、１，２−ヘキサンジオール、２，５−ヘキサンジオール、３，３−ジメチル−１，２−ブタンジオール、１，７−ヘプタンジオール、２，２−ジメチル−１，３−プロパンジオール、２，４−ジメチル−２，４−プロパンジオール、２−メチル−プロピル−１，３−プロパンジオール、１，８−オクタンジオール、１，２−オクタンジオール、２，５−ジメチル−２，５−ヘキサンジオール、２−エチル−１，３−ヘキサンジオール、２，２，４−トリメチル−１，３−ペンタンジオール、１，９−ノナンジオール、２−ブチル２−エチル−１，３−プロパンジオール、１，１０−デカンジオール、１，２−デカンジオール、２，２−ジブチル−１，３−プロパンジオール、１，１２−ドデカンジオール、１，２−ドデカンジオール、グリセリン、１，２，４−ブタントリオール、３−メチル−１，３，５−ペンタントリオール等が挙げられる。【００３１】
以上の材料から得られる混合分散媒体は、混合分散媒体中に含まれる水の量を、体質顔料の総量の１〜４０質量％、好ましくは５〜２５質量％とするものである。ここで、水の量が１質量％より少なくなると、体質顔料の良好な分散性は得られない。一方、４０質量％より多くなると、均一な混合分散媒体の状態を維持することが困難となる。本明細書において、「混合分散媒体中に含まれる水の量」とは、体質顔料の分散処理に用いる混合分散媒体の全量中の水の量を意味する。【００３２】
また、体質顔料の分散処理に用いる混合分散媒体は、バインダー樹脂の全量が体質顔料の総量１００質量％に対して５〜１００質量％となる量で、油性印刷インキ用ワニスを含有することが好ましい。【００３３】
また、体質顔料の分散処理に用いる油性印刷インキ用ワニスは、体質顔料の総量１００質量％に対して５０〜５００質量％となる量で使用することが好ましい。【００３４】
＜本発明の油性印刷用体質顔料分散体の製造方法＞
次に、本発明の製造方法について説明する。【００３５】
本発明の製造方法は、体質顔料１００質量部あたり水１〜４０質量部となる割合で上述の混合分散媒体中に上記体質顔料を分散させることを特徴とする。本製造方法において、上記体質顔料を分散させた後、必要に応じて水を除去することもできる。
なお、上記水の除去を行う工程には、水のみを除去する工程だけでなく、水と水以外の成分を除去する工程も含まれる。具体的には、水及び低沸点の混合分散媒成分（沸点２００℃未満）を除去する工程が挙げられる。また、特に高沸点の混合分散媒成分（沸点２００℃以上）を多く含む場合は、水及び高沸点の混合分散媒成分を除去する工程が挙げられる。更に、水、低沸点の混合分散媒成分及び高沸点の混合分散媒成分を除去する工程も挙げられる。【００３６】
上述の混合分散媒体の調製において、水と油性印刷インキ用ワニスを攪拌混合する装置は特に限定されないが、ディスパー、又はフラッシャー（ニーダー）のいずれかを用いるのが好ましい。【００３７】
また、混合分散媒体中に体質顔料を分散させるのに使用する装置も特に限定されないが、例えば、フラッシャー（ニーダー）又は脱水する機構を有する撹拌装置等が利用できる。【００３８】
本発明の製造方法において、前記体質顔料を分散させたあとの組成物は、水を好ましくは該組成物の２質量％以下となるまで除去することが好ましい。該組成物中の水は、加熱、減圧等の公知の方法により除去することができる。
尚、上記組成物中の水の含有量が、２質量％未満の場合は、水を除去する工程を省略することもできる。
ここで組成物中の水の含有量はカールフィッシャー水分計等によって測定することができる。【００３９】
そして、水を除去した後、練肉する工程を経るのが好ましい。上記練肉する工程は、水を除去した後の組成物に、油性印刷インキ用ワニスを予め加えてから行ってもよい。練肉するための装置としては、特に限定されないが、例えばロールミル又はビーズミル等が利用できる。この工程において、体質顔料の粒子径を１０μｍ以下となるまで練肉することが好ましい。
なお粒子径は、例えばグラインドゲージ等によって測定することができる。【００４０】
＜油性印刷用体質顔料分散体＞
上記の体質顔料分散体の製造法で得られる体質顔料分散体も本発明の１つである。本発明の体質顔料分散体は、体質顔料が油性印刷インキ用ワニス中に十分に分散されているので、後述するオフセット印刷用インキ組成物に含有させることにより、流動性や水幅の調整等が効果的に行える点で有利なものである。【００４１】
＜オフセット印刷用インキ組成物＞
本発明のオフセット印刷用インキ組成物は、上述の本発明の体質顔料分散体を含有するものである。
上記オフセット印刷用インキ組成物において、体質顔料分散体の含有量は、オフセット印刷用インキ組成物の流動性や水幅調整のために、特に限定されない。上記体質顔料分散体は、例えば体質顔料の合計使用量がオフセット印刷用インキ組成物中に３０質量％以下となる量を添加して用いることができる。オフセット印刷用インキ組成物は、さらに他の材料として、顔料、油性印刷インキ用ワニス、油状液体、その他の添加剤などを必要に応じて含み、これらの材料を練肉や混合することにより得ることができる。本発明のオフセット印刷用インキ組成物は、印刷に用いた場合、印刷時の汚れが抑制されるという有利な効果を奏するものである。【００４２】
上記オフセット印刷用インキ組成物は、新聞印刷、電話帳印刷等のノンヒートタイプの印刷、およびヒートセット型印刷、枚葉印刷、水無し用印刷等のオフセット印刷全般にわたるインキ組成物として使用することができる。
【発明の効果】
【００４３】
本発明の製造方法によれば、従来の体質顔料の含水ケーキやプレスケーキを利用する方法と比較して、体質顔料の輸送コストがかからず、且つ、全体として生産性を大幅に向上させることができる。また本発明の体質顔料分散体をオフセット印刷用インキ組成物に含有させることにより、流動性や水幅の調整等が効果的に行える点で有利である。さらに本発明のオフセット印刷用インキ組成物は、印刷時の汚れが抑制されるという有利な効果を奏するものである。
【発明を実施するための最良の形態】
【００４４】
以下に実施例を掲げて本発明を更に詳細に説明するが、本発明はこれらの実施例のみに限定されるものではない。なお、特に断りのない限り、「％」は「質量％」を意味し、「部」は「質量部」を意味するものとする。【００４５】
＜着色顔料分散物＞
卓上フラッシャー（井上機械製）内に、下記組成のバインダー樹脂油性ワニス１を３２０部仕込み、さらに、黄顔料プレスケーキ（顔料純分２３％）を１００部仕込んで、５０℃にて６０分間フラッシングを行った。その後、遊離してきた水を除去した。その後、１００℃、減圧下で６０分間除去し、残存している水の量が２％以下となるまで除去した。得られた分散物に、下記組成のバインダー樹脂油性ワニス２を６０部、次いで、大豆油１５０部を添加混合した。その後、４５℃の３本ロールミル（井上機械製）を用いて、練肉分散を行なうことにより着色顔料分散物を得た。【００４６】
（バインダー樹脂油性ワニス１の組成（質量比））
ロジン変性フェノール樹脂（重量平均分子量１０，０００）：４０
大豆油：２５
ＡＦソルベント６号：３５【００４７】
（バインダー樹脂油性ワニス２の組成（質量比））
ロジン変性フェノール樹脂（重量平均分子量８０，０００）：４０
大豆油：３０
ＡＦソルベント６号：２９
ＡＬＣＨ（エチルアセトアセテートアルミニウムジイソプロポキシド）：１【００４８】
＜実施例１＞
下記組成からなる油性印刷インキ用ワニス１００部をホモミキサーで混合し、そこにイオン交換水を１０部添加し、攪拌して、混合分散媒体を得た。【００４９】
（油性印刷インキ用ワニス組成（質量比））
バインダー樹脂油性ワニス１：２５
バインダー樹脂油性ワニス２：４７
大豆油：２８【００５０】
得られた混合分散媒体中に体質顔料として炭酸カルシウム白艶華ＣＣ（白石工業株式会社製）を１００部投入し、攪拌することにより体質顔料を分散させた。分散させた後、１００℃、減圧下で１０分脱水し、残存している水の量が２％以下となるまで水を除去した。その後、４５℃の３本ロールミル（井上機械製）を用いて、グラインドメーターによる粒子径測定で炭酸カルシウムの粒子径が５μｍ以下となるまで練肉分散を行なうことにより体質顔料分散体１を得た。この体質顔料分散体１を３５部と、上記着色顔料分散物５０部、大豆油１５部を混合・攪拌し、オフセット印刷用インキ組成物１を得た。【００５１】
＜実施例２＞
実施例１の炭酸カルシウム白艶華ＣＣを炭酸カルシウム白艶華Ｔ−ＤＤ（白石工業株式会社製）に変更する以外は、実施例１と同様にして、体質顔料分散体２とオフセット印刷用インキ組成物２を得た。【００５２】
＜実施例３＞
実施例１の炭酸カルシウム白艶華ＣＣを疎水性シリカＲ−９７２（日本アエロジル株式会社製）に、油性印刷インキ用ワニス１００部を４００部に変更する以外は、実施例１と同様にして、体質顔料分散体３とオフセット印刷用インキ組成物３を得た。【００５３】
＜実施例４＞
実施例１の炭酸カルシウム白艶華ＣＣを有機ベントナイト（ベントン３４、ナショナルレッド社製）に、油性印刷インキ用ワニス１００部を４００部に変更する以外は、実施例１と同様にして、体質顔料分散体４とオフセット印刷用インキ組成物４を得た。【００５４】
＜実施例５＞
実施例１のイオン交換水１０部を５部に変更する以外は、実施例１と同様にして、体質顔料分散体５とオフセット印刷用インキ組成物５を得た。【００５５】
＜実施例６＞
実施例１のイオン交換水１０部を３５部に変更する以外は、実施例１と同様にして、体質顔料分散体６とオフセット印刷用インキ組成物６を得た。【００５６】
＜実施例７＞
実施例1記載の油性印刷インキ用ワニス１００部をホモミキサーで混合し、そこにイオン交換水を２部添加し、攪拌して、混合分散媒体を得た。
得られた混合分散媒体中に体質顔料として炭酸カルシウム白艶華ＣＣ（白石工業株式会社製）を１００部投入し、攪拌することにより体質顔料を分散させた。その後、４５℃の３本ロールミル（井上機械製）を用いて、グラインドメーターによる粒子径測定で炭酸カルシウムの粒子径が５μｍ以下となるまで練肉分散を行なうことにより体質顔料分散体７を得た。この体質顔料分散体７を３５部と、上記着色顔料分散物５０部、大豆油１５部を混合・攪拌し、オフセット印刷用インキ組成物７を得た。【００５７】
＜実施例８＞
卓上フラッシャー（井上機械製）内に実施例１記載の油性印刷インキ用ワニス１００部を投入し、攪拌混合し、そこにイオン交換水を１０部添加し、攪拌した。得られた混合分散媒体中に体質顔料として炭酸カルシウム白艶華ＣＣ（白石工業株式会社製）を１００部投入し、攪拌することにより体質顔料を分散させた。分散させた後、１００℃、減圧下で１０分脱水し、残存している水の量が２％以下となるまで水を除去した。その後、４５℃の３本ロールミル（井上機械製）を用いて、グラインドメーターによる粒子径測定で炭酸カルシウムの粒子径が５μｍ以下となるまで練肉分散を行なうことにより体質顔料散体８を得た。この体質顔料分散体８を３５部と、上記着色顔料分散物５０部、大豆油１５部を混合・攪拌し、オフセット印刷用インキ組成物８を得た。【００５８】
＜比較例１＞
卓上フラッシャー（井上機械製）内に、２５℃で炭酸カルシウム白艶華ＣＣ（白石工業株式会社製）を１００部投入し、実施例１記載の油性印刷インキ用ワニスの１００部を添加し、混合した。その後、４５℃の３本ロールミル（井上機械製）を用いて、グラインドメーターによる粒子径測定で炭酸カルシウムの粒子径が５μｍ以下となるまで練肉分散を行なうことにより体質顔料分散体９を得た。この体質顔料分散体９を３５部と、上記着色顔料分散物５０部、大豆油１５部を混合・攪拌し、オフセット印刷用インキ組成物９を得た。【００５９】
＜比較例２＞
実施例1記載の油性印刷インキ用ワニス１００部をホモミキサーで混合し、そこにイオン交換水を０．５部添加し、攪拌して、混合分散媒体を得た。
得られた混合分散媒体中に体質顔料として炭酸カルシウム白艶華ＣＣ（白石工業株式会社製）を１００部投入し、攪拌することにより体質顔料を分散させた。その後、４５℃の３本ロールミル（井上機械製）を用いて、グラインドメーターによる粒子径測定で炭酸カルシウムの粒子径が５μｍ以下となるまで練肉分散を行なうことにより体質顔料分散体１０を得た。この体質顔料分散体１０を３５部と、上記着色顔料分散物５０部、大豆油１５部を混合・攪拌し、オフセット印刷用インキ組成物１０を得た。【００６０】
＜比較例３＞
実施例１のイオン交換水１０部を４５部に変更する以外は、実施例１と同様にして、体質顔料分散体１１とオフセット印刷用インキ組成物１１を得た。【００６１】
＜評価＞
（体質顔料分散体の生産性の評価）
分散体を生産するための所要時間を計測することにより、体質顔料分散体の生産性を評価した。【００６２】
（印刷適性）
三菱重工業製ＤＡＩＹＡ印刷機で、更紙上に、３０００部／時〜８０００部／時で印刷を行い、紙面への汚れの程度を評価した。
紙面に汚れがないものを○、紙面に汚れがあるものを×とした。【００６３】
【表１】
2007138972.tif 000002
【００６４】
【表２】
2007138972.tif 000003
【産業上の利用可能性】
【００６５】
本発明の油性印刷用体質顔料分散体を用いることにより、印刷時の汚れが抑制されるオフセット印刷用インキ組成物を得ることができる。このようにして得られるオフセット印刷インキ組成物は、新聞印刷、電話帳印刷等のノンヒートタイプの印刷、およびヒートセット型印刷、枚葉印刷、水無し用印刷等のオフセット印刷全般にわたるインキ用組成物として使用することができる。
【国際調査報告】
2007138972.tif 000004
2007138972.tif 000005